(57)【要約】      （修正有）【課題】通常の手袋又はスキー手袋状のものを装着した状態でも携帯電話を操作できるようにした携帯手袋を提供する。【解決手段】通常の５本指手袋及びスキー手袋状のものなど手袋の用に供するものに、携帯電話の保持を容易にするため該当部分を切除或いは滑り止めの物質２で加工し、更に携帯電話の操作を容易にするため操作に用いる指の部分の手袋の一部を切除或いは該当部分に孔を開けて構成する。防寒のために上記加工部分を下を透見でき且つ汗の蒸発を妨げないような薄く目の細かい布（メッシュ）３で覆っても良い。【選択図】図１
0003150756.tif 000002
【実用新案登録請求の範囲】
【請求項１】
通常の５本指手袋及びスキー手袋状のものなど手袋の用に供するものに、携帯電話の保持を容易にするため該当部分を切除或いは滑り止めの物質で加工し、更に携帯電話の操作を容易にするため操作に用いる指の部分の手袋の一部を切除或いは該当部分に孔を開ける。
【請求項２】
防寒のために上記加工部分を下を透見でき且つ汗の蒸発を妨げないような薄く目の細かい布（メッシュ）で覆う。覆う範囲、方法は部位によって異なる。
【請求項３】
上記の手袋の背面（手の甲にあたる）に、保温のための物品を入れるポケットを有する。
【考案の詳細な説明】
【技術分野】
【０００１】本考案は、携帯電話を寒冷下でも容易に操作できるような手袋を考案したものである。
【背景技術】
【０００２】携帯電話を操作する場合、寒冷下でも手袋を脱いで操作していた。
【考案の開示】
【考案が解決しようとする課題】
【０００３】寒冷な環境の下で携帯電話を操作する場合、手指がかじかんで上手く操作出来なくなる。
一方、手袋を装着したままでは携帯電話の操作が困難である。そこで、手袋に一定の加工を施し、手袋を装着したまま携帯電話を容易に操作できるようにしたものである。
【問題を解決するための手段】
【０００４】携帯手袋は利き手用、補助用の一対で構成され、左側用が利き手用であれば右側用は補助用となる。その逆もある。また、手袋には第二指〜第四指が離れているもの（通常の手袋）あるいは一緒になっているもの（スキー手袋状など）あるが、手を覆う目的のものは形を問わず含まれる。
利き手用手袋について
イ）  携帯電話の保持と操作を容易にすべく、手袋は携帯電話を保持する部分が滑らない      ように切り取られて素肌になっているか同一部分に滑り防止の素材が使用されてい      る。
ロ）  手袋の第一指の末節部分は切り取られ露出した状態にする。スキー手袋状の場合は      、適切な大きさの孔をあけて第一指を出せる構造のものも合まれる。
ハ）  寒冷に暴露されないように第一指を含めて主として掌側を、第一指が携帯電話のボ      タン操作に支障ないようにゆとりをもって布状のもので広く覆う。布状のものは、      操作ボタンを容易に見通し且つ汗の蒸発を妨げないもの、例えば薄い目の細かい網      状のもの（メッシュ）である。
ニ）  手袋の掌側を覆う布状のものの第一指と第二指の間には切れ目を作り、携帯電話の      本体を出し入れすることが出来る構造とする。
ホ）  手袋の背側には、所謂ホッカイロを入れたり、貼付出来るようにポケット状のもの      を付ける場合も含まれる。
補助手用手袋について
イ）  第一指及び第二指或いはそのいずれか一方の指の末節部分は手袋の本体を切り取り      ボタン操作を補助できるように前述の薄いメッシュ状のもので覆う。スキー手袋状      の場合は第一指及び第二指、或いはそのいずれかの指の該当部分に必要充分な孔を      あけて同様に処理する。
ロ）  背側の状態は利き手用手袋と同じである。
【考案の効果】
【０００５】上述の構造の手袋を使用すれば、保温効果はもとより、携帯電話の液晶面の文字及びボタンを視認しながらメールなどの操作が可能であり、且つ補助手を使用することでより迅速・正確な操作が可能となる。
【考案を実施するための最良の形態】
【０００６】手袋のサイズは利用者の手にピッタリ合ったもの、手袋本体は薄手でしなやかなものであ作られているのが望ましい。また、薄く細かい網目状のもの（メッシュ）は充分に耐用性があることが求められる。
【実施例】
【０００７】以下、添付図面に従って実施例を説明する。１は手袋本体、２は手袋本体を切り取って素肌にするか携帯電話が滑らないような素材を手袋に貼り付けた部分、３は防寒のために覆う薄く目の細かいメッシュ状の布。第一指がボタン操作するのに充分な余裕をもって貼り付ける。補助手用手袋に第一指或いは第二指の部位については単にカバーの用に足りればよい。４は携帯電話の本体を出し入れするに充分な大きさのメッシュの切れ目。５は所謂ホッカイロなどを入れるためのポケット。６は第一指を出す孔。７は第一指、第二指が指先でボタンを操作するための孔。【０００８】図１〜図４は、通常の５本指の手袋の例で利き手用手袋は左手用を、補助手用手袋は右手用を示す。図５〜図８はスキー状手袋などの例で利き手用手袋は左手用を、補助手用手袋は右手用を示す。
【図面の簡単な説明】
【０００９】
【図１】は通常の手袋の、左利き手用手袋の左手用手袋の掌側
【図２】は通常の手袋の、左利き手用手袋の左手用手袋の背側
【図３】は通常の手袋の、左利き手用手袋の右手用手袋の掌側
【図４】は通常の手袋の、左利き手用手袋の右手用手袋の背側
【図５】はスキー手袋状の手袋の、左利き手用手袋の左手用手袋の掌側
【図６】はスキー手袋状の手袋の、左利き手用手袋の左手用手袋の背側
【図７】はスキー手袋状の手袋の、左利き手用手袋の右手用手袋の掌側
【図８】はスキー手袋状の手袋の、左利き手用手袋の右手用手袋の背側
【符号の説明】
１  手袋本体
２  手袋本体を切り取って素肌になっているか又は手袋に滑らない材質のものを貼り付け    てある部分
３  薄く細かい網目（メッシュ）状の布
４  携帯電話本体を出し入れする切れ目
５  所謂ホッカイロなど保温材を入れることが出来るポケット
６  第一指を出す孔
７  第一指、第二指の指先でボタンを操作するための孔で、３によって覆われている。
【図１】
0003150756.tif 000003
【図２】
0003150756.tif 000004
【図３】
0003150756.tif 000005
【図４】
0003150756.tif 000006
【図５】
0003150756.tif 000007
【図６】
0003150756.tif 000008
【図７】
0003150756.tif 000009
【図８】
0003150756.tif 000010
【手続補正書】
【提出日】平成21年3月4日(2009.3.4)
【手続補正１】
【補正対象書類名】実用新案登録請求の範囲
【補正対象項目名】全文
【補正方法】変更
【補正の内容】
【実用新案登録請求の範囲】
【請求項１】
通常の５本指手袋及びスキー手袋状のものなど手袋の用に供するものに、携帯電話の保持を容易にするため該当部分を切除或いは滑り止めの物質で加工し、更に携帯電話の操作を容易にするため操作に用いる指の部分の手袋の一部を切除或いは該当部分に孔を開けたことを特徴とする手袋。
【請求項２】
防寒のため上記加工部分を下を透見でき且つ汗の蒸発を妨げないような薄く目の細かい布（メッシュ）で覆い、覆う範囲は部位によって異なることを特徴とする請求項１の手袋。
【請求項３】
上記の手袋の背面（手の甲にあたる）に、保温のための物品を入れるポケットを有することを特徴とする、請求項１又は２記載の手袋。
【手続補正２】
【補正対象書類名】明細書
【補正対象項目名】全文
【補正方法】変更
【補正の内容】
【考案の詳細な説明】
【技術分野】
【０００１】  本考案は、携帯電話を寒冷下でも容易に操作できるような手袋を考案したものである。
【背景技術】
【０００２】  携帯電話を操作する場合、寒冷下でも手袋を脱いで操作していた。
【考案の開示】
【考案が解決しようとする課題】
【０００３】  寒冷な環境の下で携帯電話を操作する場合、手指がかじかんで上手く操作出来なくなる。一方、手袋を装着したままでは携帯電話の操作が困難である。そこで、手袋に一定の加工を施し、手袋を装着したまま携帯電話を容易に操作できるようにしたものである。
【問題を解決するための手段】
【０００４】  本考案の請求項１は通常の５本指手袋及びスキー手袋状のものなど手袋の用に供するものに、携帯電話の保持を容易にするため該当部分を切除或いは滑り止めの物質で加工し、更に携帯電話の操作を容易にするため操作に用いる指の部分の手袋の一部を切除或いは該当部分に孔を開けたことを特徴とする手袋である。請求項２は防寒のため上記加工部分を下を透見でき且つ汗の蒸発を妨げないような薄く目の細かい布（メッシュ）で覆い、覆う範囲は部位によって異なることを特徴とする請求項１の手袋である。請求項３は上記の手袋の背面（手の甲にあたる）に、保温のための物品を入れるポケットを有することを特徴とする、請求項１又は２記載の手袋である。
携帯手袋は利き手用、補助用の一対で構成され、左側用が利き手用であれば右側用は補助用となる。その逆もある。また、手袋には第二指〜第四指が離れているもの（通常の手袋）あるいは一緒になっているもの（スキー手袋状など）がある。
利き手用手袋について
イ）  手袋は携帯電話の保持と操作を容易にするため、携帯電話を保持する部分が滑らないように切除されているか同一部分に滑り防止の素材が使用されている。
ロ）  利き手用の手袋の第一指の末節部分を切り取り、第一指が露出する構造にする。スキー手袋状の場合は、適切な大きさの孔をあけて第一指を出せる構造にする。
ハ）  寒冷に暴露されないように第一指を含めて主として掌側を、第一指が携帯電話のボタン操作に支障ないようにゆとりをもって布状のもので広く覆う。布状のものは、操作ボタンを容易に見通し且つ汗の蒸発を妨げないもの、例えば薄い目の細かい布（メッシュ）である。
ニ）  手袋の掌側を覆う薄い目の細かい布（メッシュ）の第一指と第二指の間には切れ目を作り、携帯電話の本体を出し入れすることが出来る構造にする。
ホ）  手袋の背側には、保温用に所謂ホッカイロを入れたり、貼付出来るようにポケット状のものを付ける。
補助手用手袋について
イ）  手袋はボタン操作を容易に補助できるように第一指及び第二指の末節部分を切り取り前述の薄い目の細かい布（メッシュ）で覆う。スキー手袋状のものは第一指及び第二指の指の該当部分に必要充分な孔をあけて前述の薄い目の細かい布（メッシュ）で覆う。
ロ）  背側の状態は利き手用手袋と同じにする。
【考案の効果】
【０００５】  上述の構造の手袋を使用すれば、保温効果はもとより、携帯電話の液晶面の文字及びボタンを視認しながらメールなどの操作が可能であり、且つ補助手を使用することでより迅速・正確な操作が可能となる。
【考案を実施するための最良の形態】
【０００６】  手袋のサイズは利用者の手にピッタリ合ったもの、手袋本体は薄手でしなやかなもので作成され、薄く目の細かい布（メッシュ）は充分に耐用性があることが必要である。
【実施例】
【０００７】  以下、添付図面に従って実施例を説明する。１は手袋本体、２は手袋本体を切り取って素肌にするか携帯電話が滑らないような素材を手袋に貼り付けた部分、３は防寒のために覆う、第一指によるボタン操作が容易にできるように充分な余裕をもって貼り付ける薄く目の細かい布（メッシュ）である。補助手用手袋の第一指或いは第二指の部位については単にカバーの用に足りればよい。４は携帯電話の本体を出し入れするのに充分な大きさの薄く目の細かい布（メッシュ）の切れ目である。５は保温用に所謂ホッカイロなどを入れるためのポケット。６は第一指を出す孔。７は第一指、第二指の指先でボタンを操作するための孔。【０００８】  図１〜図４は、通常の５本指の手袋の例で利き手用手袋は左手を、補助手用手袋は右手を示す。図５〜図８はスキー状手袋などの例で利き手用手袋は左手を、補助手用手袋は右手を示す。
【図面の簡単な説明】
【０００９】
【図１】は通常の手袋の、左利き手用手袋の利き手用手袋（左手）の掌側
【図２】は通常の手袋の、左利き手用手袋の利き手用手袋（左手）の背側
【図３】は通常の手袋の、左利き手用手袋の補助手用手袋（右手）の掌側
【図４】は通常の手袋の、左利き手用手袋の補助手用手袋（右手）の背側
【図５】はスキー手袋状の手袋の、左利き手用手袋の利き手用手袋（左手）の掌側
【図６】はスキー手袋状の手袋の、左利き手用手袋の利き手用手袋（左手）の背側
【図７】はスキー手袋状の手袋の、左利き手用手袋の補助手用手袋（右手）の掌側
【図８】はスキー手袋状の手袋の、左利き手用手袋の補助手用手袋（右手）の背側
【符号の説明】１  手袋本体
２  手袋本体を切り取っているか又は手袋に滑らない材質のものを貼り付けてある部分
３  薄く目の細かい布（メッシュ）
４  携帯電話本体を出し入れする薄く目の細かい布（メッシュ）の切れ目
５  所謂ホッカイロなど保温材を入れることが出来るポケット
６  第一指を出す孔
７  第一指、第二指の指先でボタンを操作するための孔で、３によって覆われている。